Podtech/llm-jp-corpus-v4-ja_patent huggingface dataset:
(57)【要約】      （修正有）【課題】流体物を効率よく電力にて加温・加熱する流体物連続加熱装置を提供する。【解決手段】遠赤外線面状発熱体１に流体物用チューブまたはパイプ２を螺旋状に巻いたユニットを複数組み合わせ、流体物用チューブまたはパイプの出口を一カ所に集合させ、流体物の温度調整を温度センサー４を用いて行い、流量・開閉をソレノイドや電磁弁６にて行う。流体物の流れを停止させた時、流体物の温度が上がらないように遠赤外線面状発熱体用温度センサー５で行う。【選択図】図１
0003145156.tif 000002
【実用新案登録請求の範囲】
【請求項１】
板状またはシート状の遠赤外線面状発熱体の周りに遠赤外線透過率の高い樹脂製のチューブまたはガラス製パイプなどで流体のと通り道を設け、連続通過する間に流体を加温・加熱し、流量と温度を電気的制御する事を目的とした流体物連続加熱装置。
【考案の詳細な説明】
【技術分野】
【０００１】  本考案は、流体物を効率よく電力にて加温・加熱する装置である。
【背景技術】
【０００２】  ガスや油を燃焼させ加熱したり、タンクに溜めた流体物をシーズヒーター等の電気ヒーターで加熱している。
【考案の開示】
【考案が解決しようとする課題】
【０００３】  二酸化炭素の排出を無くし又、タンクに溜めた大量の流体を電気で長時間加熱の為、大量の消費電力を必要とする。以上、地球環境の為、この欠点を解決しようとするものである。
【課題を解決するための手段】
【０００４】  本考案は発熱面積の広い遠赤外線面状発熱体に遠赤外線透過率のよい樹脂製チューブまたはガラス製等のパイプを巡らせ熱効率をよくする事により問題点を解決している。
【考案の効果】
【０００５】  よって熱効率がよい為、小型・軽量、少ない消費電力で流体物の温度と流量を電気的な管理を施す事により、一般家庭にも容易に提供が可能である。
【考案を実施するための最良の形態】
【０００６】  発熱温度の立ち上がりが速い遠赤外線面状発熱体に遠赤外線透過率の高いチューブまたはパイプを螺旋状に巡らせたユニットを複数枚組み合わせる事によりチューブまたはパイプの両面を互いに加温・加熱する。発熱部と流体物出口部付近にそれぞれ温度センサーを設け、温度コントロールをする。又、流量をソレノイドや電磁弁等で流量調節・開閉。安全装置として地震時や空焚き等の為に非常停止機構を設ける。
【実施例】
【０００７】  以下、添付図面に従って一実施例を説明する。図１の１は板状の遠赤外線面状発熱体である。【０００８】  ２は流体物用チューブまたはパイプで、中を流体物を連続通過させる。３は加熱補助用遠赤外線面状発熱体。４は流体物用温度センサーで流体物の必要温度に制御する。５は遠赤外線面状発熱体用温度センサーで、流体物が停止した時、流体物の温度が上がらないように制御する。６はソレノイドや電磁弁等で開閉を含めた流量調節装置。７は樹脂製または金属製の本体ケース。８は断熱材。【０００９】  本考案の一実施例は前記の如きコンパクトな構成からなり、ユニットとして工業用や食品用製造ラインへの組み込みから自動販売機や家庭用瞬間湯沸かし器、給湯暖房まで幅広い用途が見込まれる。
【図面の簡単な説明】
【００１０】
【図１】本考案の一実施例を示す板状遠赤外線面状発熱体使用の正面図である。
【図２】図１の断面図である。
【符号の説明】
【００１１】１  遠赤外線面状発熱体
２  樹脂製チューブまたはパイプ
３  補助用遠赤外線面状発熱体
４  流体物用温度センサー
５  遠赤外線面状発熱体用温度センサー
６  流体物流量調節装置
７  本体カバー
８  断熱材
【図１】
0003145156.tif 000003
【図２】
0003145156.tif 000004
(57)【要約】      （修正有）【課題】騒音の場所及び歩行中でも携帯電話の着信音又はバイブレーターでの着信を感知できる構造を提供する。【解決手段】携帯電話の着信は着信音又はバイブレーターによるのであり、静寂を必要とする場所ではいずれもマナーモード又はドライブモードにして着信音又はバイブレーターの振動を停止したりするので緊急時の受信感知が困難であった、また携帯電話を正常の状態にしても騒音の場所及び歩行中では携帯電話の着信音又はバイブレーターでの着信を感知するのは困難であった。携帯電話の着信を携帯電話着信電波感知バイブレーター内臓指輪、ブレスレット、イヤリング、イヤホーン、クリップにより容易に感知し得るようにした。【選択図】図２
0003145155.tif 000002
【実用新案登録請求の範囲】
【請求項１】
携帯電話の着信電波を受信するバイブレーター内臓の指輪、ブレスレット、イヤリング、イヤホーン、クリップ等により着信を感知する、携帯電話着信バイブレーター内臓指輪、ブレスレット、イヤリング、イヤホーン、クリップ。
【考案の詳細な説明】
【技術分野】
【０００１】本案は上記のごとくして、１図に示すごとく、携帯電話１、２図に示すごとく、携帯電話着信感知バイブレーター内臓指輪、ブレスレット、イヤリング、イヤホーン、クリップの考案である。
【考案の開示】
【考案が解決しようとする課題】
【０００２】本案は、従来の携帯電話の着信感知は着信音又はバイブレーターであり、静寂を必要とする場所ではマナーモード又はドライブモードにして着信音又はバイブレーターの振動を停止したりするので緊急時の受信の確認が困難であった、また騒音の場所及び歩行中でも携帯電話の着信音又はバイブレーターでの着信を感知するのは困難であった。
【課題を解決するための手段】
【０００３】本案は、携帯電話の着信を携帯電話着信電波感知バイブレーター内臓指輪、ブレスレット、イヤリング、イヤホーン、クリップ等により感知し得るようにした携帯電話着信電波感知バイブレーター内臓指輪、ブレスレット、イヤリング、イヤホーン、クリップの考案である。
【考案の効果】
【０００４】本案は、携帯電話の受信感知は着信音又はバイブレーターであり、静寂を必要とする場所ではいずれも避けなければならずマナーモード又はドライブモードにして着信音又はバイブレーターの振動を停止したりするので緊急時の受信の確認が困難であった、また騒音の場所及び歩行中でも携帯電話の着信音又はバイブレーターでの着信を感知するのは困難であった、受信者は携帯電話の着信を携帯電話着信電波感知ハイブレーター内臓指輪、ブレスレット、イヤリング、イヤホーン、クリップにより容易に感知し得るのであり、緊急で重要な着信を確実に感知することが出来る等、その益する所甚だ大である。
【図面の簡単な説明】
【０００５】
【図１】  携帯電話外観図
【図２】  携帯電話着信電波感知バイブレーター内臓指輪、ブレスレット、イヤリング、イヤホーン、クリップ図
【符号の説明】
【０００６】１．  携帯電話
２．  携帯電話着信電波感知バイブレーター内臓指輪、ブレスレット、イヤリング  イヤホーン、クリップ
【図１】
0003145155.tif 000003
【図２】
0003145155.tif 000004
(57)【要約】      （修正有）【課題】購入使用者が個人個人の頭部や頸椎に簡便に適応出来るような構造であり、しかも安価に取得出来得る枕を提供する。【解決手段】枕の内袋にファスナーが取付けてあり、使用者がファスナーを開いて、本体クッションの数枚のスポンジ板を自身の頭部と頸椎部及び身体の状態に応じて自在に枕の厚みを加減出来，体が安定し良質な睡眠を得られ、枕によって首や肩凝りを軽減し、健康生活に大きな利点が得られるばかりでなく、オーダーの必要のない枕の構造上安価に取得出来るのである。【選択図】図１
0003145154.tif 000002
【実用新案登録請求の範囲】
【請求項１】
厚さ１ｃｍの４〜６枚のクッションを挿入した内袋にファスナーを取付け、頸椎と個人の体格の状態に応じて適宜取出したり補充を成し得、仰臥就寝時にも横向き就寝時にも良質な睡眠を取り得、外袋にもファスナーを取付けてなる枕。
【考案の詳細な説明】
【技術分野】
【０００１】本案は上記のごとくして、１図に示すごとく、枕本体クッション部１、２図に示すごとく、内袋２、内袋ファスナー３、３図に示すごとく、外側カバー４，外側カバーファスナー５よりなる枕の考案である。
【考案の開示】
【考案が解決しようとする課題】
【０００２】本案は、従来の枕は内袋に種々のクッションを内蔵、外カバーを被せた構造であり、購入者が簡単に任意に改造する事が出来なかったので、個人個人の頭部や頸椎に適応し得なかった欠点があった。枕ほど人によって合う合わないが分かれる寝具はない、枕によって首や肩凝りが多かった、またオーダーの枕は価格面で高価格であり、経済的な負担があった。本考案は購入使用者が個人個人の頭部や頸椎に簡便に適応出来るような構造であり、しかも安価に取得出来得る枕の考案である。
【課題を解決するための手段】
【０００３】本案は、枕の本体クッションを数枚のスポンジ板にし、使用者の状態により任意に本体スポンジ板の枚数を増減して調節出来、就寝時に頭部と頸椎部が任意に適応が出来得るようにした枕の考案である。
【考案の効果】
【０００４】本案は、枕の内袋にファスナーが取付けてあり、使用者がファスナーを開いて、本体クッションの数枚のスポンジ板を自身の頭部と頸椎部及び身体の状態に応じて自在に枕の厚みを加減出来，体が安定し良質な睡眠を得られ、首や肩凝りを軽減して健康生活に大きな利点が得られるばかりでなく、オーダーの必要のない枕の構造上安価である等その益する所甚だ大である。
【図面の簡単な説明】
【０００５】
【図１】    枕の内臓クッション部図
【図２】    枕の内袋図
【図３】    枕の外袋図
【符号の説明】
【０００６】１．      枕の本体クッションスポンジ部
２．      枕の内袋部
３．      枕の袋ファスナー図
４．      枕の外袋図
５．      枕の外袋ファスナー図
【図１】
0003145154.tif 000003
【図２】
0003145154.tif 000004
【図３】
0003145154.tif 000005
(57)【要約】      （修正有）【課題】ハンドル部分を効率的な部分に取り付け、操縦を容易にするフレームハンドル式キャスター付鞄を提供する。【解決の手段】フレームハンドルを中央側に折り曲げることにより上部中央部に位置する形状にする。またフレームの折り曲げ部を伸ばすことにより収納することが出来る。フレームハンドルを中央部延長上に位置できれば重心部の近くに操縦する力を与えることが出来、操縦がより容易、かつ力を軽減できる。【選択図】図２
0003145160.tif 000002
【実用新案登録請求の範囲】
【請求項１】
複数個のキャスターとフレームハンドルとで構成される鞄において、そのフレームの１箇所が鞄の中央側に折れ曲がることを特徴とするキャスター付鞄。
【請求項２】
複数個のキャスターとフレームハンドルとで構成される鞄において、そのフレームを鞄に収納する時、折り曲げ部を伸ばして全体収納することを特徴とするキャスター付鞄。
【考案の詳細な説明】
【技術分野】
【０００１】本考案はフレームハンドルが中央側に折れ曲がっているキャスター付鞄に関するものである。
【背景技術】
【０００２】従来のフレームハンドル式キャスター付鞄は使用時に操縦が困難であったり、より大きな力が必要であった。
【考案の開示】
【考案が解決しようとする課題】
【０００３】フレームハンドル式キャスター付鞄のハンドル部分を効率的な部分に取り付け、操縦を容易にしたい。
【考案の効果】
【０００４】フレームハンドルを中央部延長上に位置できれば重心部の近くに操縦する力を与えることが出来、操縦がより容易、かつ力を軽減できる。
【課題を解決するための手段】
【０００５】本考案はフレームハンドルを中央側に折り曲げることにより上部中央部に位置する形状にする。またフレームの折り曲げ部を伸ばすことにより収納することが出来る。
【考案を実施するための最良の形態】
【０００６】キャスター付鞄のフレームハンドルを中央方向に折れ曲がる形状にする。
そうすることにより中央部延長上に持ち手が位置することになる。
また折り曲げ部は伸ばすことが出来るので収納することが出来る。
【図面の簡単な説明】
【０００７】
【図１】全体を示した正面図である。（フレームハンドル使用時）
【図２】全体を示した側面図である。（フレームハンドル使用時）
【図３】全体を示した平面図である。（フレームハンドル使用時）
【図４】全体を示した正面図である。（フレームハンドル収納時）
【図５】全体を示した側面図である。（フレームハンドル収納時）
【図６】全体を示した平面図である。（フレームハンドル収納時）
【符号の説明】
【０００８】    １  鞄本体
２  フレームハンドル（持ち手部分）
３  フレームハンドル折り曲がり部（折り曲がり部は２〜４の間の１箇所）
４  フレームハンドル収納口部分
５  フレーム収納ケース
６〜９  キャスター（４輪の時）
【図１】
0003145160.tif 000003
【図２】
0003145160.tif 000004
【図３】
0003145160.tif 000005
【図４】
0003145160.tif 000006
【図５】
0003145160.tif 000007
【図６】
0003145160.tif 000008
(57)【要約】      （修正有）【課題】カメムシ等の虫に、直接触らずに捕獲することのできる補虫具を提供する。【解決手段】捕虫具の筒状体１又は２の一方を閉鎖し、その内側に粘着糊４をつけ蛇腹状３の筒を縮めることにより糊面に虫を接着させ捕獲する。又、高いところや手の届きにくい狭い所は操作棒１０を用い先端に上記捕虫具を付け捕獲する。捕獲後は開口部分の糊付けされたつばの部分のシール５を剥がして閉鎖して接合し廃棄する。【選択図】図１
0003145158.tif 000002
【実用新案登録請求の範囲】
【請求項１】
カメムシ等を捕獲する捕虫具で形状は円筒又は角筒で伸縮可能な蛇腹状又は袋状とし、筒の中に虫を捕らえ筒の伸縮で虫を粘着部に接着させ捕獲する捕虫具で、筒の一方を閉鎖しその閉鎖部は手で押さえた時に虫の感触を残さない為厚みを設け筒内面側は突起や起伏をつけた面に切り込みを入れ全体に粘着糊を付けその面にシールを貼り、虫を捕獲しようとする時はシールを剥がし切り込みを入れた部分が剥がれ糸状の突起物となりその面に虫を接着させ捕虫し、捕虫後は開口部の糊付けされたつばの部分のシールを剥がして虫を閉じこめ閉鎖し接合して廃棄する捕虫具。
【考案の詳細な説明】
【技術分野】
【０００１】カメムシ等の虫に直接触れずに捕獲する捕虫具
【背景技術】
【０００２】従来はカメムシなどを捕獲・駆除する時、紙で掴むか粘着テープで接着させて捕獲していた。触れることで虫に刺激を与えることになり虫から悪臭が発生していた。また、虫に触れた時の感覚も残って不快であった。この捕虫具は直接虫に触れないので不快感がない。
【考案の開示】
【考案が解決しようとする課題】
【０００３】従来は捕獲した虫を捨てる為に使用した紙をそのまま丸めたり新たに袋に入れて捨てていた。この為悪臭が周りにたちこめたりせっかく捕獲した虫に逃げられたりしていた。
【課題を解決するための手段】
【０００４】課題を解決する為に虫に直接手を触れない筒状とし一方を閉鎖し内側に糊をつける。虫が外部からの刺激により悪臭を発生するのを防ぐため筒を蛇腹状としゆっくり縮め粘着糊に虫を接着させる。開口部につばを設けそのつばに粘着糊をつけシールで覆い捕獲後シールを外しこのつばを接合させると悪臭も発しにくく発生していても周りに広がらない。閉鎖部分の粘着面は平面か虫が接着しやすい様に起状をつけ、糊のついた糸状の突起物を設ける。
【考案の効果】
【０００５】女性など虫の苦手な人は多く、虫を見つけてとりたくても手に触れる事を嫌い捕獲することが出来なかった。この捕虫具の利点は誰でも直接虫に手を触れずに捕獲し容易に捨てられ悪臭や不快な感触も残らない画期的は捕虫具である。
【実施例】
【０００６】この捕虫具を手で使用する時は使い易い様に円筒形▲２▼とし天井・床・壁等で使用する時は隅で使用する場合を考え角筒形▲１▼とする。閉鎖部分は内部の粘着糊の部分と蛇腹部分▲３▼の干渉を防ぐ為に小さくし蓋の外側の部分は直接手で使用する際の虫の不快な感触が残ることを防ぐ為厚手とし蛇腹部分は虫の捕獲時の押し付けの為少し弾力をもたせ蛇腹部分の空気の収縮を考え圧縮された空気の逃げる小さな穴又は開口を数ヶ所設ける。糊の付着する部分は糸状の糊を付けた突起▲８▼を取り付ける。高い所や手の届きにくい狭い所で操作棒▲１０▼を使用する場合は段階的に伸縮性のある先端にツメを数箇所有する平板を設けた操作棒に捕虫具を装着し操作棒を押し付けて粘着糊に虫を接着させ捕虫する蛇腹の部分は虫の確認の為、透明又は半透明とする。捕獲後開口部のつばにシールで覆ったシールを剥がし接合し廃棄する。捕虫具全体の材質は紙又は薄手の合成樹脂製とし操作棒も合成樹脂とする。
【図面の簡単な説明】
【０００７】
【図１】姿図
【符号の説明】
【０００８】▲１▼角筒
▲２▼円筒
▲３▼蛇腹部分
▲４▼粘着糊
▲５▼シール
▲６▼粘着糊の付着したつば
▲７▼折れ目
▲８▼筒の閉鎖部分内側の糊の付着した糸状の突起物
▲９▼操作棒に装着する為のつば
▲１０▼つめの付いた伸縮性のある操作棒
【図１】
0003145158.tif 000003
(57)【要約】      （修正有）【課題】書類ケース等に入っている書類の取り出しを容易にするトレイを提供する。【解決手段】書類を斜めに持ち上げて取りやすくすることにより書類に損傷を与えず、且つ素早く取り出すことが出来る。既存の書類ケースの場合はあらかじめケース１の中に引き出し用トレイ２を入れそのトレイの下に５の操作板を入れておく。書類を取り出すとき引き出しを開け５の板を指で下げるとこのトレイの前方部分が斜めに持ち上がり容易に書類を取り出すことが出来る。又、新しい書類ケースを作る場合、書類ケースのトレイ３に取り出しトレイ４を入れ取っ手部分を凹状の部分に入れその書類を入れる。取り出す時は取っ手を上げそれを前に引き、取りだしトレイ前部を書類ケースのトレイの上部にのせ書類を取り出す。【選択図】図１
0003145127.tif 000002
【実用新案登録請求の範囲】
【請求項１】
書類ケースから書類を容易に取り出す為の書類ケーストレイと操作板である。
【考案の詳細な説明】
【技術分野】
【０００１】書類ケース等に入っている書類の取り出しを容易にするトレイである。
【背景技術】
【０００２】従来は、書類ケースから書類をスムーズに取り出すことは出来なかった。
【考案の開示】
【考案が解決しようとする課題】
【０００３】従来は書類ケースに入っている書類を１枚取り出す時、スムーズに取り出せなかったり重要な書類に折り目が入ってしまっていた。本考案はこの課題を解消する為の考案である。
【課題を解決するための手段】
【０００４】書類ケースの底面に本トレイを取りつけることによって書類をスムーズに取り出すことができる。書類ケースの引き出しを引き、取手を押す又は上げる事により引き出しトレイが持ち上がり書類を容易に取り出すことができる。
【考案の効果】
【０００５】書類を持ち上げて取り出すことで重要な書類に折り目等の損傷を与えないで１枚でもスムーズに取り出すことができる。また、既存のレターケースにも設置出来るので経済的である。
【実施例】
【０００６】既存の書類ケースの中にそのケースに対応した紙寸法より少し大きめのトレイを入れる。材質は合成樹脂でトレイ後方に書類止めをつける。角度はトレイ面に直角、又は少し角度をつけ書類を取りやすくする。両側に書類がずれないようにズレ防止の枠を取り付ける。トレイの下に入れる操作板は金属又は合成樹脂製とし、より少ない力で動作するよう曲りをつける。板バネ等も力の反発力でより効果的である。新たに引き出しを作る場合は引き出しの前方を凹形に切り欠ぎそこに合成樹脂製の取っ手付トレイを入れ上方に上げ引き出しのトレイの上にのせ両手を離し容易に書類を取り出すことが出来る。
【図面の簡単な説明】
【０００７】
【図１】構造図
【符号の説明】
【０００８】▲１▼  書類ケースのトレイ▲２▼  取り出しトレイ▲３▼  書類ケースのトレイ（切り欠ぎあり）▲４▼  取り出しトレイ（取っ手付）▲５▼  操作板
【図１】
0003145127.tif 000003
【手続補正書】
【提出日】平成20年6月13日(2008.6.13)
【手続補正１】
【補正対象書類名】実用新案登録請求の範囲
【補正対象項目名】全文
【補正方法】変更
【補正の内容】
【実用新案登録請求の範囲】
【請求項１】
書類を書類ケースから容易に取り出す為のトレイと操作板で、書類ケースの中に入れて使用しトレイの構造は底板後方に書類止め、側方両側に書類のズレ防止枠を有する構造とし、このトレイに書類を入れて書類ケースとトレイの間にトレイを持ち上げる為に使う曲がりをつけた操作板を入れ操作板を下方に押す、又は上方に上げることにより、書類ケースの中からトレイが持ち上がり書類を容易に取り出せる特徴を持つトレイと操作板。
(57)【要約】      （修正有）【課題】無機鉱物粉末の含有量が多く、焼却時の二酸化炭素発生量が少ない包装材を提供する。【解決手段】合成樹脂製フィルム１と無機鉱物粉末の含有量が多い合成紙２を、感熱接着剤、熱溶着や超音波シール等の方法によりドライラミネートする。該合成樹脂フィルム１は、２０〜１００μｍの厚みを有するポリエチレン、ポリスチレンや２軸延伸性ポリプロピレン等から選択する。該合成紙２は、炭酸カルシウムをはじめとした硫酸カルシウム、硫酸バリューム、マイカ、シリカ等の無機鉱物粉末を５５〜８５重量％含む。【選択図】図１
0003145124.tif 000002
【実用新案登録請求の範囲】
【請求項１】
合成樹脂製フィルムまたはシートに、炭酸カルシウムをはじめとする無機鉱物粉末を５５〜８５重量％含有した合成紙シートをドライラミネートにより積層したことを特徴とする包装材。
【請求項２】
熱溶着、超音波、インパルスシーラーによって成形された請求項１および２記載の包装材。
【請求項３】
感圧接着剤によって成形された請求項１記載の包装材。
【請求項４】
感熱接着剤によって成形された請求項１記載の包装材。
【請求項５】
表面にコロナ処理を施した請求項１記載の包装材。
【考案の詳細な説明】
【技術分野】
【０００１】  本考案は、商品などを販売する際に用いられる包装材に関する。
【背景技術】
【０００２】  商品を販売する際に用いられる包装材としては、合成紙シート（以下、合成紙という）や、紙類、プラスチックなどの素材が使用される事が一般的である。中でも紙類は安価で剛性を有するため広く利用されている。
しかし、地球温暖化が国際的な問題となっている世の中において、頻繁に破棄される紙製包装材が焼却時に発生するＣＯ２の削減や、紙の原料となる森林の伐採抑制も社会的な課題のひとつと言える。
【考案の開示】
【考案が解決しようとする課題】
【０００３】  本考案は、焼却時のＣＯ２排出量を削減し、森林伐採の必要が無い包装材を提供することを目的とする。
【課題を解決するための手段】
【０００４】  本考案者は、炭酸カルシウムをはじめとする無機鉱物粉末の含有量が多い合成紙は、従来の合成紙や塗工紙に比べて、燃焼時にＣＯ２の排出量が削減され、また木材が原料ではない為森林伐採の必要が無いという点に着目し、この合成紙に合成樹脂製フィルムまたはシートをドライラミネートにより積層することで剛性を調節し、尚且つ環境適合品となり得るという知見から本考案をなすに至った。
すなわち、本考案は、
（１）合成樹脂製フィルムまたはシートに、炭酸カルシウムをはじめとする無機鉱物粉末を５５〜８５％含有した合成紙シートをドライラミネートにより積層したことを特徴とする包装材、
（２）感熱接着剤、熱溶着、超音波シール、インパルスシーラーなどにより形成された（１）記載の包装材、
（３）感圧接着剤により形成された（１）記載の包装材、
（４）感熱接着剤により形成された（１）記載の包装材、
（５）表面にコロナ放電処理を施した（１）記載の包装材、を提供するものである。
【考案の効果】
【０００５】  本考案の包装材は、構成の主要材である合成紙に炭酸カルシウムをはじめとする無機鉱物粉末が５５〜８５％含有されている。従って、従来の合成紙に比べて焼却時のＣＯ２の発生は極めて少ない。また、該合成紙は本考案の包装材の５５％以上を占めるため、環境適合品として認定され得る。他にも虫や水に強く、従来の合成紙に比ベコストが安価であるというメリットがある。【０００６】  形成をする際は、感圧接着剤を使用し簡易に成形する方法の他に、感熱接着剤、超音波シール、インパルスシーラーによって形成する方法がある。後述の方法を使用すれば、感圧接着剤などの資源を更に削減する事ができる上に、小さい子供などが口に入れた場合でも体に害が無い。
【実施例】
【０００７】  図１は、本考案の包装材の一態様の断面図である。合成樹脂製フィルム１は、剛性を有するフィルムであれば特に制限はない。例えば、ポリエステルやポリスチレン、二軸延伸ポリプロピレン等の中から適宜選択し、２０〜１００μｍの厚みの範囲のものを使用するのが好適である。また、合成樹脂製フィルム１の表面にコロナ放電処理がなされる場合もある。積層方法は、ドライラミネートが最適であるが、感圧接着剤または熱圧着などにより貼り合わせても構わない。
合成紙は、炭酸カルシウムをはじめとした、硫酸カルシウム、硫酸バリウム、マイカ、シリカ、タルク、チョーク、珪藻土などの無機鉱物粉末およびそれらの混合物を５５〜８５重量％含んでおり、燃焼時に燃焼された際も少量の樹脂成分しか燃焼されないため、従来の合成紙に比べてＣＯ２の発生は大きく削減される。
図例では、合成紙シート２を挟み込む形で２枚の合成樹樹脂フィルム１が積層された３層構造であるが、合成樹脂フィルムまたはシートと合成紙を１枚ずつ貼り合わせた２層構造でも構わない。【０００７】  図２は、本考案の包装材を使用して実際に商品を包装した例の斜視図である。包装材の形状は、箱状、袋状、シート状など任意の形状で形成されるが、本考案においては合成紙の材質および積層構造が特徴であり、包装材自体の形状については特に制限はない。形成する際の方法は、感熱接着剤、超音波シール、インパルスシーラー、感圧接着剤などによる。
合成樹脂製フィルムの表面に施される印刷についても特に制限はなく、グラビア印刷、シルクスクリーン印刷、オフセットＵＶ印刷など公知の印刷技術を利用することができる。
【図面の簡単な説明】
【０００８】
【図１】本考案の包装材の一態様の断面図である。
【図２】本考案の包装材を使用して実際に商品を包装した例の斜視図である。
【図３】本考案の包装材を使用して実際に商品を包装した別の例の斜視図である。
【符号の説明】
【０００９】１合成樹脂製フィルム
２合成紙
３包装材
４接着部
【図１】
0003145124.tif 000003
【図２】
0003145124.tif 000004
【図３】
0003145124.tif 000005
【手続補正書】
【提出日】平成20年5月27日(2008.5.27)
【手続補正１】
【補正対象書類名】実用新案登録請求の範囲
【補正対象項目名】全文
【補正方法】変更
【補正の内容】
【実用新案登録請求の範囲】
【請求項１】
合成樹脂製フィルムまたはシートに、炭酸カルシウムをはじめとする無機鉱物粉末を５５〜８５重量％含有した合成紙シートをドライラミネートにより積層したことを特徴とする包装材。
【請求項２】
熱溶着、超音波、インパルスシーラーによって成形された請求項１記載の包装材。
【請求項３】
感圧接着剤によって成形された請求項１記載の包装材。
【請求項４】
感熱接着剤によって成形された請求項１記載の包装材。
【請求項５】
表面にコロナ処理を施した請求項１記載の包装材。
(57)【要約】      （修正有）【課題】壁と横棒との間隔が十分にとれるタオル掛けを提供する。【解決手段】ほぼ水平に同一長さに延びた腕木３を有する一対のブラケット２の、各腕木３の両先端部に各々、同一長さの吊り下げ具５を連結し、この吊り下げ具５の各々先端部に、横棒６を掛け渡したことを特徴とする。これにより壁面から横棒６までの距離が確保できるので、タオルを掛ける際に壁がじゃまにならず、容易にタオルを掛けることができる。【選択図】図１
0003145125.tif 000002
【実用新案登録請求の範囲】
【請求項１】
ほぼ水平に同一長さに延びた腕木（３）を有する一対のブラケット（２）の各腕木（３）の両先端部に、各々同一長さの吊り下げ具（５）を連結し、この吊り下げ具（５）の各々の先端部に、横棒（６）を架け渡したことを特長とするタオル掛け（１０）。
【請求項２】
各段で、ほぼ水平方向に伸縮する多段の伸縮式腕木（４）を有する一対のブラケット（２）の腕木（４）の最終段伸縮部（４２）の両先端部に、横棒（６）を架け渡したことを特長とするタオル掛け（２０）。
【考案の詳細な説明】
【技術分野】
【０００１】  壁面とタオルを掛ける横棒との間隔を変えることのできる、タオル掛けに関するものである。
【背景技術】
【０００２】  従来のタオル掛けでは、タオル類や部厚い物を掛けるとき壁面と掛ける棒との間隔が、狭く固定されていて、掛けにくかった、しかも腕木が壁面から出張っているので、身体や頭を打ち危険であり又、じゃまになる。
【考案の開示】
【考案が解決しょうとする課題】
【０００３】  本考案は、この問題を解決し、部厚いタオル等でも掛け易くかつ、掛けていない状態の時じゃまになりにくいタオル掛けを提供するものである。
【課題を解決するための手段】
【０００４】  請求項１に記載するタオル掛け１０（以下本考案を１という）は、ほぼ水平に延びた腕木３を有する一対のブラケット２の各腕木３の両先端部に、各々同一長さの吊り下げ具５を連結しこの吊り下げ具５の各々の先端部に、横棒６を掛け渡したことを特長とする。
【０００５】  請求項２記載のタオル掛け２０（以下本考案２という）は、各段でほぼ水平方向に伸縮する各段伸縮式腕木４を有するブラケット２の腕木４の最終段伸縮部４２の両先端部分に横棒６を架け渡したことを特長とする。
【０００６】  本考案で用いるブラケット２は、従来タオル掛けに用いられている一般的なもので良く、たとえば金属・プラスチック陶器などが挙げられ、又このブラケット２を壁面に固定するにはネジ・クギ・吸盤・粘着シートなどを用いることができる。
【０００７】  本考案１で用いる腕木３は、従来のタオル掛けで用いられている、金属・陶器・プラスチックなど一般的なもので良い。
【０００８】  本考案２で用いる腕木は、各段でほぼ水平方向に同一長さで伸縮する、伸縮式のものであり、たとえば、釣り竿や写真の三脚に用いられている伸縮式のものが好ましい。
【０００９】  本考案１で用いる吊り下げ具５は柔軟なものが良くたとえばチェーンとかひも状又はロープなどが好ましい。
【００１０】  本考案で用いる横棒６は、従来のタオル掛けで用いられている金属・プラスチック・陶器・木等・いずれを用いても良い。
【考案の効果】
【００１１】  本考案は上述のような構成になっているので、従来のタオル掛けでは、タオル類・衣類・寝具類・生活洋品類など、床や地面に触れずに、すばやく横棒に掛けたい時又は片手がふさがっている時、部厚い物であったり量が多い時等、力を入れてギュウギュウ押し込むと、ブラケットごとはずれてしまったりして掛けにくかったが、本考案１では、横棒６を持ち上げれば、壁面との間隔が広がりまた、本考案２では、腕木４を引き出せば、壁面との間隔が広がり、壁面から横棒６迄の距離が確保できるので、掛け易くなり、神経も使わなくて済みむしろ、快適さを感じる。
又、掛け終わった後や、使っていない時には、横棒６の壁面からの出張りが少ないので、じゃまになったり危険はない。
【実施例１】
【００１２】以下図１及び図２を用いて本考案１の実施例を説明する。
ほぼ水平にそれぞれ延びた長さ５ｃｍの腕木３を有する一対のブラケット２の、各腕木３の両先端部に、各々６ｃｍの長さのチェーン５を連結し、このチェーン５の各々の先端部に外径１５ｍｍのプラスチックパイプを横棒６として架け渡してタオル掛け１０とした。横棒６を手前上方に上げれば壁面より横棒６迄の距離を、腕木３の５ｃｍと吊り下げ部５の６ｃｍを合せて１１ｃｍ確保することができた。
【実施例２】
【００１３】次に図３を用いて本考案２の実施例を説明する。
ほぼ水平にそれぞれ延びた、長さ５ｃｍの腕木４を有する一対のブラケット２の各腕木４の両先端部の引き出したとき長さ４ｃｍとなる伸縮部４２の両先端部に外径１５ｍｍのプラスチックパイプを横棒６として、掛け渡してタオル掛け２０とした。よって壁面から横棒６の距離を、腕木３の５ｃｍと伸縮部４２の４ｃｍと合せて９ｃｍ確保することができた。
【実施例３】
【００１４】図４は本考案２の腕木４が２段伸縮式となっている例を示す。
この例では、腕木４の長さを５ｃｍとし、１段目伸縮４１の長さを４ｃｍとし、２段目伸縮部４２の長さを３ｃｍとしたので合せて壁面からの距離を１２ｃｍ確保することができた。【００１５】  図２と図５に実施例１と実施例３の、タオル掛け１０とタオル掛け２０を、実際に用いた状況を示した。
図２では、掛け終わった後、チェーン５は垂れ下がるので場所をふさがない。
図５では、掛け終わった後、横棒を押すと、伸縮部４１と４２は腕木４の中に入っていき、しまい込めるので場所をふさがない。
【図面の簡単な説明】
【００１６】
【図１】本考案１の実施例を示す説明図、
【図２】本考案１を実際に使用している状況を示す説明図。
【図３】本考案２の実施例を示す説明図。
【図４】本考案２の他の実施例を示す説明図。
【図５】本考案２を実際に使用している状況を示す説明図。
【符号の説明】
２  ブラケット
３，４  腕木
４１，４２  伸縮部
５  吊り下げ具
６  横棒
１０，２０  タオル掛け
【図１】
0003145125.tif 000003
【図２】
0003145125.tif 000004
【図３】
0003145125.tif 000005
【図４】
0003145125.tif 000006
【図５】
0003145125.tif 000007
【手続補正書】
【提出日】平成20年6月25日(2008.6.25)
【手続補正１】
【補正対象書類名】実用新案登録請求の範囲
【補正対象項目名】請求項２
【補正方法】変更
【補正の内容】
【請求項２】
各段でほぼ水平方向に伸縮する多段の伸縮式腕木（４）を有する一対のブラケット（２）の腕木の最終段伸縮部の両先端部に、横棒（６）を掛け渡すことによって、使用時に、壁面からタオルを掛ける棒迄の巾を広くすることを特徴とするタオル掛け。
(57)【要約】      （修正有）【課題】袖や襟の第一ボタンをはずしたときその開口度を固定する止め具を提供する。【解決手段】長袖シャツの袖口の第一ボタンを外したときの開口度を固定、安定化するために、タイタックのピン部１のピン先を、袖口の第一ボタン附近外側より生地７に刺し込み、続いて、袖内側にてタイタック受金部２の挿入口より差し込みタイタックを生地に固定する一方、飾りボタン４の脚部５をボタンホール６の外側より挿入して先のタイタックの受金部分でタイタックと繋ぐ。【選択図】図１
0003145131.tif 000002
【実用新案登録請求の範囲】
【請求項１】
長袖シャツの袖口の第一ボタンを外したときの開口度を固定、安定化するために、第１図に示すごとく、タイタックのピン部１のピン先を、袖口のボタン附近外側より生地７に刺し込み、続いて、袖内側にてタイタック受金部２の挿入口より差し込みタイタックを生地に固定する、一方飾りボタン４の脚部５をボタンホール６の外側より挿入して先のタイタックの受金部分でタイタックと繋ぐことを特徴とする袖口の止め具。
【請求項２】
シャツの襟の第一ボタンを外したときの開口度を固定、安定化するために、タイタックのピン部のピン先を、シャツの襟の第一ボタン附近外側より生地に刺し込み、続いて、内側にてタイタック受金部の挿入口より差し込みタイタックを生地に固定する、一方飾りボタンの脚部を第一ボタンのボタンホール外側より挿入して、先のタイタック受金部分でタイタックと繋ぐことを特徴とする襟の止め具。
【請求項３】
長袖シャツの袖や、シャツの襟の第一ボタンを外したときの開口度を固定、安定化するために、タイタックのピン部のピン先を、第一ボタン附近外側より生地に刺し込み、続いて、タイタック受金部の挿入口より差し込みタイタックを生地に固定する、一方飾りボタンの脚部を、ボタンホール外側より挿入して、先のタイタック受金部分に一端を繋いだ掛合離脱可能な留め金に繋着することを特徴とする飾りボタンの交換可能な止め具。
【考案の詳細な説明】
【技術分野】
【０００１】  カフスボタンの改良品である。従来のカフスボタンはカフス仕立てのシャツにしか使えないが、本考案でカフスホールの無いシャツにも使えるカフスボタンを造った。
【背景技術】
【０００２】  日本メジカル株式会社が既に出願した実願２００７−９４４０「シャツ襟袖の安定具」は袖口のボタンの真裏肌面部分に索条に連接したボタンの反対側の端を生地にぬいこみ固定して、ボタンホールにボタンを填めて其の索状の長さを変えることによって袖口の開口度を変える方法である。この方法は、従来のカフスボタンがカフスホールのあるシャツしか使えなかったのを改良しカフスホールの無いシャツにもカフスボタンを付けられるようにした。
【考案が解決しようとする課題】
【０００３】  前掲の実願２００７−９４４０は、モニター調査の結果利用効果があることが解ったが、ボタン裏肌面部に飾りボタンに連接した索状端を縫い込む操作が必要で手数が掛かる。この手数を省くことが出来ないか検討した結果本考案に到達した。
【課題を解決するための手段】
【０００４】  ネクタイを固定化安定化するための器具であるタイタックを構成する針部と受金部を本課題を解決するために利用するものである。図１に示したように、ボタンを外した状態の袖口の外側のボタンの辺りからタイタックのピン部１の針先を生地７に差し込む、続いて袖口の内側で、受金部２の針挿入部分に針部の針先を挿入してタイタックを生地７に固定化する。一方飾りボタン４をボタンホール６の外側より脚部より挿入してその脚部と受金を金属鎖で繋ぐものである。
タイタックは、意願  昭５４−１７８３４号「ネクタイピン」にて他社により紹介されている。現在もネクタイの固定用に使われているが、ネクタイを挟むタイプのネクタイピンのタイバーに比べて人気が低い。
【考案の効果】
【０００５】  本考案により裏ボタンの固定に縫い糸を使う必要が無くなった。外側から生地に針を刺し込み、受金に差し込む簡単な操作で固定出来るものである。針を外すのも受金の調節つまみ３を軽く引くだけでよい。飾りボタンは、受金と金属鎖で繋ぐ外に、種々の掛合離脱可能なナス型フックや引輪、磁石式の留め金がある。それらはアクセサリー金具業者のクラスプ部門（留め金部門）にて購入出来る。種々あるが、それぞれ特徴があり用途により最適のものを使うことができ、それらを利用することによって種々の飾りボタンを使用者の好みに応じて交換使用できる。
【図面の簡単な説明】
【０００６】
【図１】本考案に係わる、シャツの袖口に、飾りボタンと固定具としてのピンタックを係止した一部切断側面図
【符号の説明】
【０００７】  １                ピン部
２                タイタック受金部
３                調節つまみ
４                飾りボタン
５                ボタン脚
６                ボタンホール
７                生地
８                接合鎖
【図１】
0003145131.tif 000003
【手続補正書】
【提出日】平成20年6月24日(2008.6.24)
【手続補正１】
【補正対象書類名】実用新案登録請求の範囲
【補正対象項目名】全文
【補正方法】変更
【補正の内容】
【実用新案登録請求の範囲】
【請求項１】
長袖シャツの袖口の第一ボタンを外したときの開口度を固定、安定化するために、タイタックのピン部１のピン先を、袖口の第一ボタン附近外側より生地７に刺し込み、続いて、袖内側にてタイタック受金部２の挿入口より差し込みタイタックを生地に固定する一方、飾りボタン４の脚部５をボタンホール６の外側より挿入して先のタイタックの受金部分でタイタックと繋ぐことを特徴とする袖口の止め具。
【請求項２】
シャツの襟の第一ボタンを外したときの開口度を固定、安定化するために、タイタックのピン部のピン先を、シャツ襟の第一ボタン附近外側より生地に刺し込み、続いて、内側にてタイタック受金部の挿入口より差し込みタイタックを生地に固定する一方、飾りボタンの脚部を第一ボタンのボタンホール外側より挿入して、先のタイタック受金部分でタイタックと繋ぐことを特徴とする襟の止め具。
【請求項３】
長袖シャツの袖や、シャツの襟の第一ボタンを外したときの開口度を固定、安定化するために、タイタックのピン部のピン先を、第一ボタン附近外側より生地に刺し込み、続いて、タイタック受金部の挿入口より差し込みタイタックを生地に固定する一方、飾りボタンの脚部を、ボタンホール外側より挿入して、先のタイタック受金部分に一端を繋いだ掛合離脱可能な留め金に繋着することを特徴とする飾りボタンの交換可能な止め具。
(57)【要約】      （修正有）【課題】ニット製品にアイロンをかける時，アイロンの尖った先端部分で引っかけることのないアイロンを提供する。【解決手段】ニット製品にアイロンをかける時，ニットの編み目に，アイロンの尖った先端部分で，引っかけて，ニット製品に損傷をおこすことのないように、アイロンの先端部分を上方向に反らしたアイロンを作り，ニット製品の編み目に引っかからない形状のアイロンを作る。【選択図】図２
0003145135.tif 000002
【実用新案登録請求の範囲】
【請求項１】
通常のアイロンの形状において先端部分を上に反らせてニット製品の編み目にアイロンの先端が引っ掛かりニット製品を傷つける事を無くしたアイロン。
【考案の詳細な説明】
【技術分野】
【０００１】本考案はアイロンの使用においてニットに関するものである。
【背景技術】
【０００２】ニット製品にアイロンを使用するとき，ニット製品の編み目にアイロンの先端を引っかけないように注意してアイロンをかける必要があった。
【考案の開示】
【考案が解決しようとする課題】
【０００３】ニット製品にアイロンを使用するとき，先端がほそく尖っていたのでニット製品の編み目にアイロンの先端が引っ掛かり，ニットの編み目を損傷する事が多くその欠点を解消する必要があった。
【課題を解決するための手段】
【０００４】本考案はニット製品にアイロンをかける場合，アイロンの先端がニットの編み目に引っ掛かり，ニットの編み目を損傷する事が多かったので，アイロンの先端部分を上方向に反らせて作り，ニットの編み目を損傷させない為の解決の手段としたものである。
【考案の効果】
【０００５】ニット製品にアイロンをかけても，アイロンの先端部分を上方向に反らせてあるので，ニット製品の編み目を損傷する事が無くなる。
【考案を実施するための最良の形態】
【０００６】ニット製品にアイロンをかける場合，ニット製品の編み目にアイロンの先端部分が引っ掛かり損傷するので，アイロンの先端部分を上方向に反らせて作りニット製品の編み目を引っかけない形態のアイロンを作る。
【実施例】
【０００７】ニット製品にアイロンをかける場合，ニットの編み目にアイロンの先端を引っかけ無いように，アイロンの先端部分を上方向に反らせて作りそのアイロンを利用する。
【図面の簡単な説明】
【０００８】
【図１】本考案の実施例を示す図である。
【図２】本考案のアイロンの熱を発する部分だけを示した側面図で先端を上方向に反らしている。
【図１】
0003145135.tif 000003
【図２】
0003145135.tif 000004
(57)【要約】      （修正有）【課題】袖や襟の第一ボタンをはずしたときその開口度を固定する止め具を提供する。【解決手段】徽章を襟などに固定するための器具である蝶タックを構成する針部と受金部を、以下により構成する。ボタンを外した状態の袖口の外側のボタンの辺りから蝶タックのピン部１の針先を生地７に差し込む、続いて袖口の内側で、受金部２の針挿入部分に針部の針先を挿入して蝶タックを生地７に固定化する。一方飾りボタン４をボタンホール６の外側から脚部より挿入して、その脚部と受金を金属鎖８で繋ぐものである。針を外す場合には２枚の蝶羽３の先端を同時に引き併せる。【選択図】図１
0003145138.tif 000002
【実用新案登録請求の範囲】
【請求項１】
長袖シャツの袖口の第一ボタンを外したときの開口度を固定、安定化するために、第１図に示すごとく、蝶タックのピン部１のピン先を、袖口のボタン附近外側より生地７に刺し込み、続いて、袖内側にて蝶タック受金部２の挿入口より差し込み蝶タックを生地に固定する、一方飾りボタン４の脚部５をボタンホール６の外側より挿入して先の蝶タックの受金部分で蝶タックと索条で繋ぐことを特徴とする袖口の止め具。
【請求項２】
シャツの襟の第一ボタンを外したときの開口度を固定、安定化するために、蝶タックのピン部のピン先を、シャツの襟の第一ボタン附近外側より生地に刺し込み、続いて、内側にて蝶タック受金部の挿入口より差し込み蝶タックを生地に固定する、一方飾りボタンの脚部を第一ボタンのボタンホール外側より挿入して、先の蝶タック受金部分で蝶タックと索条で繋ぐことを特徴とする襟の止め具。
【請求項３】
長袖シャツの袖や、シャツの襟の第一ボタンを外したときの開口度を固定、安定化するために、蝶タックのピン部のピン先を、第一ボタン附近外側より生地に刺し込み、続いて、蝶タック受金部の挿入口より差し込み蝶タックを生地に固定する、一方飾りボタンの脚部を、ボタンホール外側より挿入して、先の蝶タック受金部分に一端を繋いだ掛合離脱可能な留め金に繋着することを特徴とする飾りボタンの交換可能な止め具。
【考案の詳細な説明】
【技術分野】
【０００１】  カフスボタンの改良品である。従来のカフスボタンはカフス仕立てのシャツにしか使えないが、本考案でカフスホールの無いシャツにも使えるカフスボタンを造った。
【背景技術】
【０００２】  日本メジカル株式会社が既に実用新案登録した登録第３１４１２５３号「シャツ襟袖の安定具」は袖口のボタンの真裏肌面部分に索条に連接したボタンの反対側の端を生地にぬいこみ固定して、ボタンホールにボタンを填めて其の索状の長さを変えることによって袖口の開口度を変える方法である。この方法は、従来のカフスボタンがカフスホールのあるシャツしか使えなかったのを改良しカフスホールの無いシャツにもカフスボタンを付けられるようにした。
【考案が解決しようとする課題】
【０００３】  前掲の登録第３１４１２５３号は、モニター調査の結果利用効果があることが解ったが、ボタン裏肌面部に飾りボタンに連接した索状端を縫い込む操作が必要で、手数が掛かる。この手数を省くことが出来ないか検討した結果本考案に到達した。
【課題を解決するための手段】
【０００４】  徽章を襟などに固定するための器具である蝶タックを構成する針部と受金部を本課題を解決するために利用するものである。図１に示したように、ボタンを外した状態の袖口の外側のボタンの辺りから蝶タックのピン部１の針先を生地７に差し込む、続いて袖口の内側で、受金部２の針挿入部分に針部の針先を挿入して蝶タックを生地７に固定化する。一方飾りボタン４をボタンホール６の外側から脚部より挿入して、その脚部と受金を金属鎖で繋ぐものである。針を外す場合には２枚の蝶羽の先端を同時に引き併せる。
蝶タックは、米国のＢＡＬＬＯＵ社や日本の株式会社立川徽章等にて現在販売されている。固定力はタイタックより低いが扱い易さや価格に利点がある。またプチポワンやＵＳタックの商品名で徽章の留め金として日本ではアサオ工芸株式会社等より売られているがピン留め機構は蝶タックと似ている。
固定機構は、蝶型の薄い２枚の鋼板の先端を曲げ、周囲を囲む円形の函の中で歪ませて圧縮力を与えて中心部に位置する針に固定効果を与える、２枚の蝶羽の先端を同時に引き寄せると圧縮力が下がり針が抜ける構造である。
【考案の効果】
【０００５】  本考案により裏ボタンの固定に縫い糸を使う必要が無くなった。外側から生地に針を刺し込み、受金に差し込む簡単な操作で固定出来る。針を外すのも受金の蝶羽３の先端を軽く引き併せるだけでよい。飾りボタンは、受金と金属鎖とか繊維状高分子で繋ぐ外に、種々の掛合離脱可能な留め金としてフックや引輪、磁石式の留め金から選んで繋ぐことができる。それらはアクセサリー金具業者のクラスプ部門（留め金部門）にて入手出来る。それらを利用することによって種々の飾りボタンを使用者の好みに応じて交換使用できる。
【図面の簡単な説明】
【０００６】
【図１】本考案に係わる、シャツの袖口に、飾りボタンと固定具としての蝶タックを係止した一部切断側面図
【符号の説明】
【０００７】  １              ピン部
２              蝶タック受金部
３              蝶羽
４              飾りボタン
５              ボタン脚
６              ボタンホール
７              生地
８              接合鎖
【図１】
0003145138.tif 000003
【手続補正書】
【提出日】平成20年6月24日(2008.6.24)
【手続補正１】
【補正対象書類名】実用新案登録請求の範囲
【補正対象項目名】全文
【補正方法】変更
【補正の内容】
【実用新案登録請求の範囲】
【請求項１】
長袖シャツの袖口の第一ボタンを外したときの開口度を固定、安定化するために、蝶タックのピン部１のピン先を、袖口の第一ボタン附近外側より生地７に刺し込み、続いて、袖内側にて蝶タック受金部２の挿入口より差し込み蝶タックを生地に固定する一方、飾りボタン４の脚部５をボタンホール６の外側より挿入して先の蝶タックの受金部分で蝶タックと繋ぐことを特徴とする袖口の止め具。
【請求項２】
シャツの襟の第一ボタンを外したときの開口度を固定、安定化するために、蝶タックのピン部のピン先を、シャツ襟の第一ボタン附近外側より生地に刺し込み、続いて、内側にて蝶タック受金部の挿入口より差し込み蝶タックを生地に固定する一方、飾りボタンの脚部を第一ボタンのボタンホール外側より挿入して、先の蝶タック受金部分で蝶タックと繋ぐことを特徴とする襟の止め具。
【請求項３】
長袖シャツの袖や、シャツの襟の第一ボタンを外したときの開口度を固定、安定化するために、蝶タックのピン部のピン先を、第一ボタン附近外側より生地に刺し込み、続いて、蝶タック受金部の挿入口より差し込み蝶タックを生地に固定する一方、飾りボタンの脚部を、ボタンホール外側より挿入して、先の蝶タック受金部分に一端を繋いだ掛合離脱可能な留め金に繋着することを特徴とする飾りボタンの交換可能な止め具。
(57)【要約】      （修正有）【課題】取り扱い注意事項が記載されている印刷物を保管し、その都度確認する必要がない食器を提供する。【解決手段】陶磁器製や陶器製の食器の高台内側に取り扱い注意事項を記号や文字、絵で図示し焼き付けた食器で、取り扱い注意事項が製造物責任法を遵守した記載事項からなる食器であり、食器の高台内側に取り扱い注意事項が焼付けてあるので、従来のように取り扱い注意事項を記載した印刷物を紛失することもなく、例えば、電子レンジにその食器をかけてよいか否か直ぐに判断出来るようになった。【選択図】図１
0003145140.tif 000002
【実用新案登録請求の範囲】
【請求項１】
陶磁器製や陶器製の食器の高台内側に記号や文字、絵が、少なくても１つ以上を焼き付けられたことを特徴とする食器。
【請求項２】
上記、記号や文字、絵が製造物責任法を遵守した記載事項からなることを特徴とする。
請求項１に記載の食器。
【考案の詳細な説明】
【技術分野】
【０００１】  本考案は、主として陶磁器製や陶器製の食器に用いる高台内側に記号や文字、絵が焼き付けた食器に関する。
【背景技術】
【０００２】  従来の陶磁器製や陶器製の食器は、紙に印刷された取り扱い注意事項が食器の箱の中や、食器本体にシールとして貼ってあった。
【考案の開示】
【考案が解決しようとする課題】
【０００３】  従来の陶磁器製や陶器製の食器は、紙に印刷された取り扱い注意事項が、食器の箱に入れてあったり、食器本体にシールとして貼られたりしており、それらを紛失すると、例えば、電子レンジにその食器をかけてよいか否か判断出来ない等の不具合があった。又、取り扱い注意事項が記載されている印刷物を保管し、その都度確認する必要があった。
【課題を解決するための手段】
【０００４】  本考案は、陶磁器製や陶器製の食器の高台内側に記号や文字、絵が少なくとも１つ以上が焼き付けられたことを特徴とする食器で、記号や文字、絵は、取り扱い注意事項が製造物責任法を遵守した記載事項からなる食器である。
【考案の効果】
【０００５】  陶磁器製や陶器製の食器の高台内側に記号や文字、絵で取り扱い注意事項を焼き付けた食器で、取り扱い注意事項が製造物責任法を遵守した記載事項からなる食器であり、食器の高台に取り扱い注意事項が焼付けてあるので、従来のように取り扱い注意事項を記載した印刷物を紛失することもなく取り扱い注意事項が記載されている印刷物を保管し、その都度、確認する必要性もなくなったので、例えば、電子レンジにその食器をかけてよいか否か直ぐに判断出来るようになった。
【考案を実施するための最良の形態】
【０００６】  本実施例で、染付焼成の場合は、１２００℃から１３５０℃で焼成し、上絵焼成の場合は、７５０℃から８５０℃で焼成を行い洗浄による磨耗を少なくした。【０００７】  本考案に係る一実施例を、図１と図２を参照して以下説明する。
【実施例】
【０００８】  図１は、陶磁器製や陶器製の食器の高台内側に取り扱い注意事項が焼き付けられた状況を示す食器の裏面図で、図２は、陶磁器製や陶器製の食器の高台内側に焼き付けた、取り扱い注意事項を記号や文字、図で図示した図である。
本実施例では、図１に図示するように、食器１の高台内側１ａに取り扱い事項１ｂを焼き付けて例えば、図示を省略した、電子（ガス）レンジに食器１をかけてよいか否かなどその使用方法が明確にした。
図２は、図１に図示の取り扱い事項１ｂを、記号や文字、絵で表示した具体例を示し、本実施例の食器１は電気（ガス）オーブンが使用できないことを図示した例である。図２中、符号２Ａは電気（ガス）オーブンを使用できない事をします記号、符号２ｂは電気（ガス）レンジを示す文字、符号２Ｃは電子（ガス）レンジを示す絵、符号２ｃは食器洗い機を示す文字、符号２Ｄは食器洗い機を示す絵を図示しているので、一見して食器の取り扱い注意事項を記号や文字、絵で容易に確認できた。又、本実施例では省略したが、ＩＨ（電磁調理器）などの取り扱い注意事項を記号や文字、絵で表示してもよい。
【産業上の利用分野】
一般の陶磁器製や陶器製の食器のみならず試薬試験容器などに適用することができる。
【図面の簡単な説明】
【０００９】
【図１】本考案に係る一実施例を示す食器の裏面図
【図２】食器の高台内側に焼き付けた取り扱い注意事項を図示した説明図である。
【符号の説明】
【００１０】  １    食器
１ａ  食器の高台内側
１ｂ  食器の高台内側に焼付けた取り扱い注意事項
２Ａ  電気（ガス）オーブンを示す絵
２ａ  電気（ガス）オーブンを示す文字
２Ｂ  電気（ガス）オーブンを使用できない事を示す記号
２ｂ  電気（ガス）レンジを示す文字
２Ｃ  電気（ガス）レンジを示す絵
２ｃ  食器洗い機を示す文字
２Ｄ  食器洗い機を示す絵
【図１】
0003145140.tif 000003
【図２】
0003145140.tif 000004